【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
熱可塑性組成物の重量を基準にして、約７０〜約９９．８％のポリエステル組成物および変性剤を含むか、またはそれらから製造された熱可塑性組成物であって、
ポリエステル組成物が、ポリ（トリメチレンテレフタレート）もしくはポリ（テトラメチレンテレフタレート）、またはそれらの組み合わせを含み、
変性剤が、エチレン酸コポリマーと、少なくとも１種の脂肪族単官能性有機酸と、少なくとも１種のエチレンエステルコポリマーまたは両方から誘導される少なくとも１種のイオノマーを含み、
酸コポリマーが、酸コポリマーの重量を基準にして、約３〜約３５重量％のＣ3~8α，β−エチレン系不飽和カルボン酸と、０〜約３０重量％のアクリル酸またはメタクリル酸のＣ1〜Ｃ8アルキルエステルとを含み、そして残りはエチレンであり、そして、Ｃ3~8α，β−エチレン系不飽和カルボン酸エステルが存在する場合、アクリル酸またはメタクリル酸のＣ1〜Ｃ8アルキルエステルであり、
有機酸が、４〜３６個の炭素原子を有し、Ｃ1~8アルキル基によって置換されていてもよく、そして変性剤中に、変性剤の５〜６０重量％の量で存在し、
エチレンエステルコポリマーが、エチレンエステルコポリマーの重量を基準にして、（ｉ）約２０〜約９５％のエチレンの共重合単位と、（ｉｉ）０〜約２５％の少なくとも１種の式ＣＨ2＝Ｃ（Ｒ1）ＣＯ2Ｒ2のエステルの共重合単位と、（ｉｉｉ）０〜約８０重量％の少なくとも１種の式ＣＨ2＝Ｃ（Ｒ3）ＣＯ2Ｒ4のエステルの共重合単位とを含み、（ｉｉ）および（ｉｉｉ）の両方が０重量％ではなく、Ｒ1が、水素または１〜６個の炭素原子を有するアルキル基であり、Ｒ2がグリシジル基であり、Ｒ3が、水素または１〜８個の炭素原子を有するアルキル基であり、そしてＲ4が、１〜８個の炭素原子を有するアルキル基であり、
変性剤中の組み合わせられた酸部分の約７５％〜約１００％が中和され、金属陽イオンとの塩を形成し、そして
陽イオンが、少なくとも約７５当量％のマグネシウム、カルシウム、亜鉛またはそれらの組み合わせを含む熱可塑性組成物。
【請求項２】
酸コポリマーが、４〜２５重量％のＣ3~8α，β−エチレン系不飽和カルボン酸エステルを含み、
ポリエステル組成物が、ポリ（テトラメチレンテレフタレート）であり、
組成物が、熱可塑性組成物の全重量を基準にして、約０．００５〜約１重量％の核形成剤を含み、
核形成剤が、テレフタル酸一ナトリウム、ナフタレンジカルボン酸一ナトリウム、イソフタル酸一ナトリウム、Ｃ30〜Ｃ36単官能性有機酸の塩、またはそれらの２種以上の組み合わせであり、熱可塑性組成物の０．００５〜１重量％の量で存在し、
変性剤が、熱可塑性組成物の重量を基準にして、約５〜１５重量％の、エチレン／メチルアクリレートジポリマー、エチレン／グリシジルメタクリレートジポリマー、エチレン／ｎ−ブチルアクリレート／グリシジルメタクリレートターポリマー、エチレン／アルキルアクリレートジポリマーとエチレン／グリシジルメタクリレートジポリマーとの組み合わせ、エチレン／ｎ−ブチルアクリレート／グリシジルメタクリレートターポリマー、またはそれらの２種以上の組み合わせをさらに含み、
変性剤が、熱可塑性組成物の重量を基準にして、約１〜約３０重量％の、ナトリウム陽イオンを含有する１種以上の追加的なイオノマーを場合によりさらに含む
請求項１に記載の組成物。
【請求項３】
請求項１または２で特徴づけられた組成物を含む造形品。
【請求項４】
第１のポリエステル組成物の溶融粘度よりも少なくとも１０％低い溶融粘度と、第１のポリエステル組成物の数平均分子量の少なくとも８５％低い数平均分子量を有する第２のポリエステルを製造するために有効な条件下で、第１のポリエステル組成物を変性剤と溶融混合することを含む方法であって、第１のポリエステル組成物が、ポリ（トリメチレンテレフタレート）もしくはポリ（テトラメチレンテレフタレート）、またはそれらの組み合わせを含み、変性剤が、請求項１または２で特徴づけられたものである方法。
【手続補正２】
【補正対象書類名】明細書
【補正対象項目名】０１１７
【補正方法】変更
【補正の内容】
【０１１７】
上記で本発明の好ましい実施形態のいくつかが記載され、具体的に例示されたが、本発明がそのような実施形態に限定されるようには意図されない。以下の特許請求の範囲で明白であるように、本発明の範囲および趣旨から逸脱することなく、様々な修正がなされてもよい。
次に、本発明の態様を示す。
1.  熱可塑性組成物の重量を基準にして、約７０〜約９９．８％のポリエステル組成物および変性剤を含むか、またはそれらから製造された熱可塑性組成物であって、
ポリエステル組成物が、ポリ（トリメチレンテレフタレート）もしくはポリ（テトラメチレンテレフタレート）、またはそれらの組み合わせを含み、
変性剤が、エチレン酸コポリマーと、場合により、少なくとも１種の脂肪族単官能性有機酸と、少なくとも１種のエチレンエステルコポリマーまたは両方から誘導される少なくとも１種のアイオノマーを含み、
酸コポリマーが、エチレンの共重合されたコモノマーと、少なくとも１種のＣ3~8α，β−エチレン系不飽和カルボン酸の共重合されたコモノマーと、場合により、少なくとも１種のＣ3~8α，β−エチレン系不飽和カルボン酸エステルの共重合されたコモノマーを含み、
有機酸が、４〜３６個の炭素原子を有し、Ｃ1~8アルキル基によって置換されていてもよく、
エチレンエステルコポリマーが、エチレンエステルコポリマーの重量を基準にして、（ｉ）約２０〜約９５％のエチレンの共重合単位と、（ｉｉ）０〜約２５％の少なくとも１種の式ＣＨ2＝Ｃ（Ｒ1）ＣＯ2Ｒ2のエステルの共重合単位と、（ｉｉｉ）０〜約８０重量％の少なくとも１種の式ＣＨ2＝Ｃ（Ｒ3）ＣＯ2Ｒ4のエステルの共重合単位とを含み、
（ｉｉ）および（ｉｉｉ）の両方が０重量％ではなく、Ｒ1が、水素または１〜６個の炭素原子を有するアルキル基であり、Ｒ2がグリシジル基であり、Ｒ3が、水素または１〜８個の炭素原子を有するアルキル基であり、そしてＲ4が、１〜８個の炭素原子を有するアルキル基であり、
変性剤中の組み合わせられた酸部分の約７５％〜約１００％が中和され、金属陽イオンとの塩を形成し、そして
陽イオンが、少なくとも約７５当量％のマグネシウム、カルシウム、亜鉛またはそれらの組み合わせを含む熱可塑性組成物。
2.  変性剤が有機酸を含み、有機酸が変性剤中に５〜６０重量％で存在し、
酸コポリマーが、酸コポリマーの重量を基準にして、約３〜約３５重量％のＣ3~8α，β−エチレン系不飽和カルボン酸と、０〜約３０重量％のＣ3~8α，β−エチレン系不飽和カルボン酸エステルとを含み、残りはエチレンであり、
Ｃ3~8α，β−エチレン系不飽和カルボン酸が、アクリル酸、メタクリル酸またはそれらの組み合わせであり、
存在する場合、Ｃ3~8α，β−エチレン系不飽和カルボン酸エステルが、アクリル酸またはメタクリル酸のＣ1〜Ｃ8アルキルエステルである
上記１に記載の組成物。
3.  酸コポリマーが、４〜２５重量％のＣ3~8α，β−エチレン系不飽和カルボン酸エステルを含む上記１または２に記載の組成物。
4.  ポリエステル組成物がポリ（テトラメチレンテレフタレート）である上記１、２または３に記載の組成物。
5.  ポリエステル組成物が、ポリ（トリメチレンテレフタレート）と、
熱可塑性組成物の全重量を基準にして、約０．００５〜約１重量％の、カルボン酸のナトリウム塩を含む核形成剤と
を含む上記１、２または３に記載の組成物。
6.  核形成剤が、テレフタル酸一ナトリウム、ナフタレンジカルボン酸一ナトリウム、イソフタル酸一ナトリウム、Ｃ30〜Ｃ36単官能性有機酸の塩、またはそれらの２種以上の組み合わせであり、熱可塑性組成物の０．００５〜１重量％の量で存在する上記５に記載の組成物。
7.  変性剤が、熱可塑性組成物の重量を基準にして、約５〜１５重量％の、エチレン／メチルアクリレートジポリマー、エチレン／エチルアクリレートジポリマー、エチレン／ｎ−ブチルアクリレートジポリマー、エチレン／グリシジルメタクリレートジポリマー、エチレン／ｎ−ブチルアクリレート／グリシジルメタクリレートターポリマー、エチレン／ｎ−ブチルアクリレート／一酸化炭素ターポリマーおよびそれらの２種以上の組み合わせからなる群から選択される少なくとも１種のエチレンエステルコポリマーをさらに含む上記１、２、３、４、５または６に記載の組成物。
8.  変性剤が、熱可塑性組成物の重量を基準にして、約５〜１５重量％の、エチレン／メチルアクリレートジポリマー、エチレン／グリシジルメタクリレートジポリマー、エチレン／ｎ−ブチルアクリレート／グリシジルメタクリレートターポリマーまたはそれらの２種以上の組み合わせをさらに含む上記１、２、３、４、５または６に記載の組成物。
9.  変性剤が、エチレン／アルキルアクリレートジポリマーとエチレン／グリシジルメタクリレートジポリマーとの組み合わせ、エチレン／ｎ−ブチルアクリレート／グリシジルメタクリレートターポリマーまたはその組み合わせを含む上記８に記載の組成物。
10.  変性剤が、熱可塑性組成物の重量を基準にして、約１〜約３０重量％の、ナトリウム陽イオンを含有する１種以上の追加的なアイオノマーをさらに含む上記１〜９のいずれか一項に記載の組成物。
11.  上記１〜１０のいずれか一項で特徴づけられた組成物を含む造形品。
12.  第１のポリエステル組成物の溶融粘度よりも少なくとも１０％低い溶融粘度と、第１のポリエステル組成物の数平均分子量の少なくとも８５％低い数平均分子量を有する第２のポリエステルを製造するために有効な条件下で、第１のポリエステル組成物を変性剤と溶融混合することを含む方法であって、第１のポリエステル組成物が、ポリ（トリメチレンテレフタレート）もしくはポリ（テトラメチレンテレフタレート）、またはそれらの組み合わせを含み、変性剤が、上記１〜１０のいずれか一項で特徴づけられたものである方法。